(57)【要約】【課題】複数の電子機器が存在する場合に、２台目以降の電子機器のスタンバイ状態時のマイコンの電力消費を低減することを目的とする。【解決手段】電子機器１は、機器全体の制御を行うマイクロコンピューター１１０と、マイクロコンピューター１１０へ電圧を供給する電源制御部１００と、電源制御部１００からマイクロコンピューター１１０への電圧供給を制御する第１のスイッチング手段１４０と、第１のスイッチング手段１４０のオン・オフ状態を切り換える制御信号を、電源制御部１００からマイクロコンピューター１１０への電圧供給の状態に応じて遮断する第２のスイッチング手段１５０と、を具備し、第１のスイッチング手段１４０は、電子機器１に接続された電子機器２からの制御信号によりオン・オフ状態を切り換えることを特徴とする。【選択図】図１
2008113479.tif 000002
【特許請求の範囲】
【請求項１】
第１の電子機器と、前記第１の電子機器に接続された第２の電子機器とからなる電源システムにおいて、
前記第１の電子機器は、機器全体の制御を行うマイクロコンピューターと、
前記マイクロコンピューターへ電圧を供給する電源制御部と、
前記電源制御部から前記マイクロコンピューターへの電圧供給を制御する第１のスイッチング手段と、
前記第１のスイッチング手段を切り換える制御信号を、前記マイクロコンピューターの動作状態に応じて遮断する第２のスイッチング手段と、を具備し、
前記第１のスイッチング手段を、前記第２の電子機器からの制御信号により切り換えることを特徴とする電源システム。
【請求項２】
前記第１の電子機器は、リモート・コントローラーからの信号を受け取るリモコン受光部を具備し、
前記第２の電子機器は、前記リモコン受光部で受信した信号を、前記第１の電子機器から受信し、前記受信した信号が前記第１の電子機器に対する電源オンを要求する信号であった場合に、前記第１のスイッチング手段を切り換える制御信号を前記第１の電子機器に送信する制御部を具備することを特徴とする請求項１に記載の電源システム。
【請求項３】
前記制御部は、前記第１の電子機器を電源オン状態にする制御信号を前記第１の電子機器に送信することを特徴とする請求項２に記載の電源システム。
【請求項４】
前記第２の電子機器は、リモート・コントローラーからの信号を受け取る第２のリモコン受光部を具備し、
前記制御部は、前記第２のリモコン受光部で受信した信号が前記第１の電子機器に対する電源オンを要求する信号であった場合に、前記第１のスイッチング手段を切り換える制御信号を前記第１の電子機器に送信することを特徴とする請求項１から３の何れかに記載の電源システム。
【請求項５】
前記制御部は、前記第１の電子機器を電源オン状態にする制御信号を前記第１の電子機器に送信することを特徴とする請求項４に記載の電源システム。
【発明の詳細な説明】
【技術分野】
【０００１】
本発明は、電源システムに関し、より特定的には、テレビジョン受像機等の、リモート・コントローラー（以下リモコン）によって電源のオン・オフが可能な電子機器において、電源オフ状態で動作していない状態（以下、この状態をスタンバイ状態という）における電力消費を低減させる電源システムに関する。
【背景技術】
【０００２】
リモコンによって電源のオン・オフが可能な電子機器において、スタンバイ状態であっても、必要なときに電源オンができるように、リモコン信号を受信して解読するマイクロコンピューター（以下マイコン）には常時電圧が印加されている。近年、テレビジョン受像機等の電子機器は、付加価値を高めるため多くの機能を搭載するようになり、これら多くの機能を実現するために、マイコンは高速かつ回路規模が大きくなり、これに伴って電力消費も大きくなっている。この課題を解決するために、従来、リモコン信号の受信制御を行うための低速で回路規模が小さいサブマイコンと、これ以外の制御を行う高速で回路規模が大きいメインマイコンとを別に設け、スタンバイ状態時には、メインマイコンへの電圧供給は行わずにサブマイコンにのみ電圧供給を行い、スタンバイ状態時のマイコンにおける電力消費を低減する電源システムが開示されている。
【特許文献１】特開２０００−４７７６４号公報
【発明の開示】
【発明が解決しようとする課題】
【０００３】
しかしながら、上記電源システムでは、スタンバイ状態時にサブマイコンに常時電圧が印加されており、スタンバイ状態時のマイコンの電力消費を完全に無くすものではない。また、上記電源システムは、スタンバイ状態が必要な電子機器単体でのスタンバイ状態時の電力消費を低減するものであり、電子機器を複数所持している場合は、その分電力消費が加算されていくという課題があった。例えば、テレビジョン受像機やＤＶＤレコーダー、ＭＤコンポなど、家庭において、スタンバイ状態時にマイコンが電力を消費する電子機器が複数存在することは容易に想像できる。
【０００４】
本発明は上記の事情を鑑み、複数の電子機器が存在する場合に、２台目以降の電子機器のスタンバイ状態時のマイコンの電力消費を完全に無くし、電力消費をさらに低減することを目的とする。
【課題を解決するための手段】
【０００５】
本発明に係る電源システムは、第１の電子機器と、前記第１の電子機器に接続された第２の電子機器とからなる電源システムにおいて、前記第１の電子機器は、機器全体の制御を行うマイクロコンピューターと、前記マイクロコンピューターへ電圧を供給する電源制御部と、前記電源制御部から前記マイクロコンピューターへの電圧供給を制御する第１のスイッチング手段と、前記第１のスイッチング手段を切り換える制御信号を、前記マイクロコンピューターの動作状態に応じて遮断する第２のスイッチング手段と、を具備し、
前記第１のスイッチング手段を、前記第２の電子機器からの制御信号により切り換えることを特徴とする。
【０００６】
また、上記の構成に係る電源システムにおいて、前記第１の電子機器は、リモート・コントローラーからの信号を受け取るリモコン受光部を具備し、前記第２の電子機器は、前記リモコン受光部で受信した信号を、前記第１の電子機器から受信し、前記受信した信号が前記第１の電子機器に対する電源オンを要求する信号であった場合に、前記第１のスイッチング手段を切り換える制御信号を前記第１の電子機器に送信する制御部を具備するとしても良い。
【０００７】
また、上記の構成に係る電源システムにおいて、前記制御部は、前記第１の電子機器を電源オン状態にする制御信号を前記第１の電子機器に送信するとしても良い。
【０００８】
また、上記の構成に係る電源システムにおいて、前記第２の電子機器は、リモート・コントローラーからの信号を受け取る第２のリモコン受光部を具備し、前記制御部は、前記第２のリモコン受光部で受信した信号が前記第１の電子機器に対する電源オンを要求する信号であった場合に、前記第１のスイッチング手段を切り換える制御信号を前記第１の電子機器に送信するとしても良い。
【０００９】
また、上記の構成に係る電源システムにおいて、前記制御部は、前記第１の電子機器を電源オン状態にする制御信号を前記第１の電子機器に送信するとしても良い。
【発明の効果】
【００１０】
以上のような構成をとることで、例えば、テレビジョン受像機とＤＶＤレコーダーなど、複数の電子機器を接続した場合に、一方の電子機器において、スタンバイ状態時におけるマイコンへの電圧供給を完全に停止させ、スタンバイ状態時における電力消費を低減することが可能となる。
【発明を実施するための最良の形態】
【００１１】
以下に本発明の実施の形態について図面を参照して説明する。
【００１２】
（実施の形態１）
図１は、本発明の電源システムの実施の形態１の構成を示すブロック図である。
【００１３】
本発明の電源システムは、機器１と機器２とで構成される。機器１は、電源制御部１００と、マイコン１１０と、スイッチング手段１２０と、メイン回路１３０と、スイッチング手段１４０と、スイッチング手段１５０と、リモコン受光部１６０と、端子接続部１７０とで構成されている。ここで、スイッチング手段１４０は、請求項１における第１のスイッチング手段であり、スイッチング手段１５０は、請求項１における第２のスイッチング手段である。また、機器１と接続する機器２は、電源制御部１８０と、マイコン１９０と、端子接続部２００とで構成されている。
【００１４】
機器１の電源制御部１００は、外部から電圧が入力され、予め定めた電圧を機器１のマイコン１１０及びメイン回路１３０へ供給する。
【００１５】
機器１のマイコン１１０は、機器１の電源制御部１００からの電圧供給により動作し、機器１の機能を実現するためのメイン回路１３０の制御と、スイッチング手段１２０及びスイッチング手段１５０のスイッチング制御を行う。また、リモコン受光部１６０から入力されるリモコン信号を解読し、リモコン信号に応じた制御を行う。また、機器１の電源制御部１００から電源供給が開始された場合に、機器１の端子接続部１７０から、電源オンの通知が入力されているかを確認し、電源オンの通知が入力されていた場合は、スイッチング手段１２０をオンにする制御信号を出力する。
【００１６】
スイッチング手段１２０は、機器１のマイコン１１０からの制御信号を受けて、機器１の電源制御部１００からメイン回路１３０への電圧供給のオン・オフを行う。
【００１７】
メイン回路１３０は、機器１の機能を実現する回路であって、機器１の電源制御部１００からの電圧供給により動作し、機器１のマイコン１１０から制御される。
【００１８】
スイッチング手段１４０は、機器１の端子接続部１７０から入力される制御信号を受けて、機器１の電源制御部１００から機器１のマイコン１１０への電圧供給のオン・オフを行う。また、スイッチング手段１４０は、機器１の端子接続部１７０からの制御信号が無い場合、つまりは、機器１と機器２が接続されていない、或いは、機器２のマイコン１９０に電圧が供給されていない、或いは、スイッチング手段１５０がオフ状態で、端子接続部１７０から入力される制御信号を受信できない場合は、機器１の電源制御部から機器１のマイコン１１０への電圧供給をオンにする状態となる。
【００１９】
スイッチング手段１５０は、機器１のマイコン１１０からの制御信号を受けて、機器１の端子接続部１７０からスイッチング手段１４０への制御信号の入力のオン・オフを行う。また、スイッチング手段１５０は、機器１のマイコン１１０からの制御信号が無い場合、つまりは、機器１のマイコン１１０に電圧が供給されていない場合は、機器１の端子接続部１７０からスイッチング手段１４０への制御信号の入力をオンにする状態となる。
【００２０】
リモコン受光部１６０は、外部から入力されるリモコン信号を受信し、機器１のマイコン１１０、及び、機器１の端子接続部１７０へ出力する。
【００２１】
機器１の端子接続部１７０は、スイッチング手段１４０への制御信号線と、リモコン受光部１６０から出力されるリモコン信号線と、機器２から入力される電源オンの通知を伝送する線を、外部機器と接続するための端子である。
【００２２】
機器２の電源制御部１８０は、外部から電圧が入力され、予め定めた電圧を機器２のマイコン１９０へ供給する。
【００２３】
機器２のマイコン１９０は、機器２の電源制御部１８０からの電圧供給により動作し、機器１のスイッチング手段１４０への制御信号を機器２の端子接続部２００へ出力する。また、機器１のリモコン受光部１６０で受信され、機器２の端子接続部２００から入力されたリモコン信号を解読し、リモコン信号が機器１への電源オン信号であった場合に、機器１への電源オン通知を機器２の端子接続部２００へ出力する。
【００２４】
機器２の端子接続部２００は、機器１のスイッチング手段１４０への制御信号線と、機器１のリモコン受光部１６０から出力されるリモコン信号線と、機器１への電源オンの通知を伝送する線を、外部機器と接続するための端子である。
【００２５】
次に、図２のフローチャート及び図１の構成を示すブロック図を用いて、本発明の電源システムにおいて、機器１のマイコン１１０への電圧供給が開始されてから、機器１のマイコン１１０への電圧供給が停止するまでの動作について説明する。
【００２６】
まず、Ｓ２００において、機器１のマイコン１１０は、スイッチング手段１５０をオフにする制御信号を出力して、機器１の端子接続部１７０からスイッチング手段１４０への制御信号の入力を遮断し、スイッチング手段１４０のオン状態を確保する。
【００２７】
次に、Ｓ２１０において、マイコン１１０は、機器１の端子接続部１７０から電源オン通知が入力されているか、或いは、リモコン受光部１６０から電源オンのリモコン信号が入力されているかを判断する。
【００２８】
Ｓ２１０において、電源オン要求が有ると判断した場合は、Ｓ２２０において機器１のマイコン１１０はスイッチング手段１２０をオンにする制御信号を出力し、メイン回路１３０への電圧供給を開始する。
【００２９】
次に、Ｓ２３０において、機器１のマイコンはメイン回路１３０を制御して機器１の機能を実現し、Ｓ２４０において、リモコン受光部１６０から電源オフのリモコン信号が入力されるまで継続する。
【００３０】
Ｓ２４０において、機器１のマイコン１１０は、リモコン受光部１６０から電源オフのリモコン信号が入力された場合、スイッチング手段１２０をオフにする制御信号を出力し、メイン回路１３０への電圧供給を停止する（Ｓ２５０）。
【００３１】
次に、Ｓ２６０において、機器１のマイコン１１０は、スイッチング手段１５０をオンにする制御信号を出力して、機器１の端子接続部１７０からスイッチング手段１４０への制御信号の入力を有効にする。
【００３２】
Ｓ２７０において、機器１の端子接続部１７０からスイッチング手段１４０をオフにする制御信号が入力された場合、機器１のマイコン１１０への電圧供給が停止する。
【００３３】
Ｓ２７０において、機器１の端子接続部１７０からスイッチング手段１４０をオンにする制御信号が入力されている、または、制御信号が何も入力されていない場合は、Ｓ２１０からの動作に戻る。
【００３４】
Ｓ２１０において、電源オン要求が無いと判断した場合は、Ｓ２６０からの動作を行う。
【００３５】
次に、図３のフローチャート及び図１の構成例を示すブロック図を用いて、本発明の電源システムにおいて、機器２のマイコン１９０が機器２の端子接続部２００へ出力する、機器１のスイッチング手段１４０への制御信号について説明する。
【００３６】
まず、Ｓ３００において、機器２のマイコン１９０は、機器１のスイッチング手段１４０をオフにする制御信号を、機器２の端子接続部２００へ出力する。
【００３７】
次に、機器２のマイコン１９０は、Ｓ３１０において、機器１のリモコン受光部１６０で受信され、機器２の端子接続部２００から入力されたリモコン信号を解読し、入力されたリモコン信号が機器１への電源オンを要求する信号であった場合に、Ｓ３２０において、機器１のスイッチング手段１４０をオンにする制御信号を、機器２の端子接続部２００へ出力する。
【００３８】
次に、Ｓ３３０において、機器２のマイコン１９０は、電源オンを通知する信号を、機器２の端子接続部２００へ出力する。
【００３９】
次に、Ｓ３４０において、一定期間経過するのを待ち、Ｓ３００からの動作に戻る。
【００４０】
機器１と機器２が接続されている場合、Ｓ３２０によって、機器１のマイコン１１０への電圧供給が開始され、機器１のマイコンは、スタンバイ状態への移行が可能になるまで、スイッチング手段１５０をオフにする。Ｓ３４０で待つ時間は、機器１のマイコンが起動してから、スイッチング手段１５０を最初にオフにするまでの時間以上であれば良い。
【００４１】
このように本発明の電源システムによれば、複数の電子機器を接続した場合に、一方の電子機器のスタンバイ状態時におけるマイコンへの電圧供給を完全に停止させることが可能となり、スタンバイ状態時における電力消費を低減することができる。
【００４２】
また、スタンバイ状態となりマイコンへの電圧供給が停止されている電子機器のリモコン受光部に、電源オンを要求するリモコン信号を入力して、スタンバイ状態となりマイコンへの電圧供給が停止されている電子機器の電源をオンすることが可能となる。
【００４３】
また、スタンバイ状態となりマイコンへの電圧供給が停止されている電子機器は、電源オンの要求があった場合にのみ、電源オンの動作を行うことが可能となる。
【００４４】
なお、上記の実施形態では、機器１のマイコンは１つで構成されるものとしたが、背景技術に記載したように、メインマイコンとサブマイコンなどの２つ以上のマイコンで構成しても良い。
【００４５】
なお、上記の実施形態では、接続する機器を２台としているが、端子接続部を増やして３台以上の機器を接続し、その内の１台が他の複数の機器のスイッチング手段の制御を行うとしても良い。これにより、複数の機器のスタンバイ状態時における電力消費を低減することが可能となる。
【００４６】
なお、上記の実施形態では、機器２のマイコン１９０は、機器１のリモコン受光部１６０で受信され、機器２の端子接続部２００から入力されたリモコン信号を解読するとしたが、機器２にリモコン受光部を設け、そこで受信したリモコン信号を解読するとしても良い。
【産業上の利用可能性】
【００４７】
本発明の電源システムは、スタンバイ状態時の電力消費を低減するものであり、テレビジョン受像機やＤＶＤレコーダーなどを始めとする、リモコンによって電源オン・オフが可能な電子機器における電源システムとして有用である。
【図面の簡単な説明】
【００４８】
【図１】本発明の実施形態における電源システムの構成を示すブロック図
【図２】本発明の実施形態における機器１のマイコンへの電圧供給開始から停止までの動作を示すフローチャート
【図３】本発明の実施形態における機器２のマイコンが出力するスイッチ制御信号の動作を示すフローチャート
【符号の説明】
【００４９】
１００    機器１の電源制御部
１１０    機器１のマイコン
１２０    機器１の電源制御部からメイン回路への電圧供給に関するスイッチング手段
１３０    メイン回路
１４０    機器１の電源制御部から機器１のマイコンへの電圧供給に関するスイッチング手段
１５０    機器１の接続端子部から出力される制御信号に関するスイッチング手段
１６０    リモコン受光部
１７０    機器１の接続端子部
１８０    機器２の電源制御部
１９０    マイコン
２００    機器２の接続端子部
【図１】
2008113479.tif 000003
【図２】
2008113479.tif 000004
【図３】
2008113479.tif 000005